(57)【要約】【課題】装着者の装着時の足指への不快感・痛み等をなくし、どの指にも装着できる足指装身具の提供。【解決手段】トゥリング１は、溶接部２と、ワイヤー部３と、装飾デザイン部４とで構成されており、図１の装飾デザイン部４を平らで曲線状に仕上げ、角を削り、少し上方向に反らしたことにより、本体と足指との接触を軽減し、不快感を除いた。また、図１のワイヤー部３のように、パイの字型にすることにより、装着使用者の指の太さに対応した径大きさを微妙な範囲で簡単に調整装着でき、しかも一旦装着後でも、拡開、狭窄処理いずれにも対応して再調整でき、また、従来のリング型では回避できなかった、装着時の不快感を除き、サイズを多数そろえる必要性がなく、デザインの多大性を可能にする装身具である。【選択図】図１
0003119424.tif 000002
【実用新案登録請求の範囲】
【請求項１】
足の指の間に挟んで装着する装身具。
【請求項２】
装着部分をパイ型にし、装着者の指の太さに自在に対応できる請求項１に記載の装身具。
【請求項３】
装着部分の、素材を柔らかくし（例：シルバー、真鍮などの金属）
装着者のそれぞれの指に収まり易い請求項１または請求項２に記載の装身具。
【考案の詳細な説明】
【技術分野】
【０００１】本考案はたとえば、従来のデザイン、リング型だと装着者の指の太さや、装着時に感じる不快感を除くことに対応することができなかったものを、パイ型にしたことにより、また、素材が柔らかく、微調整が容易になったことにより、これを装着使用する個々人の指の太さに対応し、装着時の指への不快感（痛み等）を回避するとともにサイズ変更が不必要となり、永久的に使用できる、足指の装飾具（トゥリング）に関する。
【背景技術】
【０００２】従来のトゥリングは、これを装着使用する個々人の指の太さに対応するように径大きさが異なるものを予め取り揃えておき、また予め用意したものがなく、指が細くあるいは太くなる場合には、リング自体の内径を強制的に狭窄したり、拡開したりしてこれに対処していたものである。そのためにリング自体の径大きさ夫々を所定太さ毎に異ならしめた多数種類にして、それらの号数等で表示することで構成、提供されていたものである。また、装着時の指に対する不快感（痛み等）が問題であった。
【考案の開示】
【考案が解決しようとする課題】
【０００３】ところがこうした従来の異なる大きさのものの予めの用意・準備は極めて面倒であるばかりなく、リングの径大きさが小さいことでこれを強制的にでも広げるような、拡開加工あるいは狭めるような狭窄加工は、その一部を切断して金属を挟込み追加溶接を施したり、あるいは除去したりいずれもリング全般にわたっての均一した処理を施さなければならないため、処理は困難で、調整設定されたリング自体が不体裁なものとなる場合が多々あった。
また予め構成設定されている幾種類かの径大きさのたとえばその中間の大きさで対応する場合でも形成されているリングの径大きさの再調整が必要とされるものであった。【０００４】特にリングの外周側面全体に各種の模様、石のセッティング、デザインが施されている場合には、一部の切断除去あるいは挟み込み追加、石の再セッティング等の処理後にはその切断端縁相互を接続しても、模様等が非連続なものとなるから極めて不都合なものである。またこれはリング自体の径大きさを強制的にでも均一的に拡開処理あるいは狭窄処理する場合でも同様なことが生じえることであり、ひいてはその模様・デザインが制約されるものであった。【０００５】更に径大きさが一旦調整設定された後に例えば、永年使用後にサイズ変更等生じた場合にも、その処理が上述したように困難であり、断念せざるを得ないことも多く、例えばリフォームに伴う再加工も著しく制限するものであった。【０００６】そこで本考案は上述のような従来の諸事情に鑑み創出されたもので、装着しようする着用者の指等の太さに対応して径大きさに簡単に調整設定でき、しかもその調整設定範囲は制限されず、微妙な範囲でも確実に調整可能であるばかりでなく、一旦調整後でも再調整でき、またその調整に際し例えば外表面に施した模様・デザイン等を全く変更せず良好な体裁を維持できるようにし、更に、装着部分の素材を柔らかく、溶接を限りなく最小限に抑えたことにより、着用者の装着時の指の不快感（痛み等）を回避できる足指の装飾具を提供することを目的とするものである。
【課題を解決するための手段】
【０００７】上述した課題を解決するため、本考案のトゥリングのパイの字型装身具は、自在に装着者の個々人の足の指の太さに容易にあわせられるよう、柔らかい素材（例：シルバー、真鍮など）を使用し、溶接部分を最小限に抑え、細い金属を使用し、自在に装着者の足の指に挟み込み、調整できることが可能とした。そのため、サイズの変更等全く必要とせず、靴のデザイン、足のむくみ等関係なく、装着でき、また、指の谷間に装着部分を固定することが可能となったことにより、装着者の不快感（痛み等）を回避できる。
【考案の効果】
【０００８】本考案は以上のように構成されているために、装着使用する着用者の指の太さに対応して、装身具本体の径大きさを簡単に調整設定でき、しかもその調整設定は制限されず、微妙な範囲でも確実に調整でき、指にしっくりと馴染み、装着者の今までの課題であった、装着時の指の不快感・痛み等を回避できる。そればかりでなく、装着部以外のデザインに対しても、永年使用後の例えばリフォーム時であっても容易にでき、永年に亙っての着用も可能にするものである。
【考案を実施するための最良の形態】
【０００９】以下本考案を図に示す実施例に基づいて説明する。
【実施例１】
【００１０】図１は、本考案の一実施例を示すトゥリングの斜視図、図２は、トゥリングの平面図である。【００１１】  トゥリング１は、溶接部２、ワイヤー部３、装飾デザイン部４とから構成されている。溶接部２は、個々人の指に合わせる範囲をひろくするため、溶接部分を最小限におさえた。ワイヤー部３は、シルバーや真鍮などの柔らかい素材を活用し、なおかつ細く加工したため、可動しやすくなっている。装飾デザイン部４は、平らで曲線状に仕上げ、角を削り、なおかつ少し本体を上方向へ反らす加工をしているため、足指とデザイン装飾部４との接触による摩擦（装着時の不快感等）が軽減される。
次にトゥリングの使い方を説明する。
図３に装着時の表（上）側、図４に裏（下）側、図５に指平面図を示す。
トゥリング１は、ワイヤー部３を指の間に絡めるように挟みこみ、パイ字型のワイヤー部３を図５指平面図に示す指の谷間におさまるよう個々人で調整し、足指１０の表面に装飾部デザイン部４を図３装着時の表（上）側のよう位置させる。ワイヤー部３がやわらかい素材で可動し易いため、装着者の足指サイズ、形状にフィットし易く、なおかつ指の谷間にワイヤー部３がおさまるため、足と靴との接触がなくなり、不快感や痛みが解消される。
【図面の簡単な説明】
【００１２】
【図１】は本考案の足指の装飾具の一実施例を示す斜視図である。
【図２】は本考案の足指の装飾具の一実施例を示す平面図である。
【図３】は本考案の足指の装飾具の一実施例を示す装着時表（上）図である。
【図４】は本考案の足指の装飾具の一実施例を示す装着時裏（下）図である。
【図５】は本考案の足指の装飾具の一実施例を示す装着時平面図である。
【図６】は本考案の足指の装飾具の一実施例を示すデザイン例１を示す図である。
【図７】は本考案の足指の装飾具の一実施例を示すデザイン例２を示す図である。
【符号の説明】
【００１３】１  トゥリング
２  溶接部
３  ワイヤー部
４  装飾デザイン部
５  ワイヤー部平面
１０  足指
【図１】
0003119424.tif 000003
【図２】
0003119424.tif 000004
【図３】
0003119424.tif 000005
【図４】
0003119424.tif 000006
【図５】
0003119424.tif 000007
【図６】
0003119424.tif 000008
【図７】
0003119424.tif 000009
【手続補正書】
【提出日】平成17年11月28日(2005.11.28)
【手続補正１】
【補正対象書類名】実用新案登録請求の範囲
【補正対象項目名】全文
【補正方法】変更
【補正の内容】
【実用新案登録請求の範囲】
【請求項１】
足指の上面側に位置されるデザイン部と、柔らかい素材で作製され、足指の谷間に挟み込む部分を有し、該挟み込む部分から外側に、隣接する足指に沿わせる形状に曲げられるワイヤー部と、前記足指の谷間に挟み込む部分のワイヤー部と前記デザイン部とが溶接接続された溶接部と、から構成されていることを特徴とする足指の装身具。
【手続補正２】
【補正対象書類名】明細書
【補正対象項目名】０００７
【補正方法】変更
【補正の内容】
【０００７】  上述した課題を解決するため、本考案に係る足指の装身具は足指の上面側に位置されるデザイン部と、柔らかい素材で作製され、足指の谷間に挟み込む部分を有し、該挟み込む部分から外側に、隣接する足指に沿わせる形状に曲げられるワイヤー部と、前記足指の谷間に挟み込む部分のワイヤー部と前記デザイン部とが溶接接続された溶接部と、から構成されていることを特徴としている。
本考案によれば、自在に装身者の個々人の足の指の太さに容易にあわせられるよう、柔らかい素材（例：シルバー、真鍮など）を使用し、溶接部分を最小限に抑え、細い金属を使用し、自在に装着者の足の指に挟み込み、調整することが可能とした。そのため、サイズの変更等全く必要とせず、靴のデザイン、足のむくみ等を関係なく、装着でき、また、指の谷間に装着部分を固定することが可能となったことにより、装着者の不快感（痛み等）を回避できる。